(57)【要約】【課題】本発明は足踏み式便座取っ手を開示した。【解決手段】スタンドを含み、前記スタンドが地面に固定でき、前記スタンドの上端には踏み板装置が設けられ、前記踏み板装置の左端には回転装置が連結され、前記踏み板装置の下側にはロック装置が設けられ、前記回転装置の上端には連結装置が連結され、前記踏み板装置は前記スタンドの中に設置された収納チャンバを含み、前記収納チャンバが上方に開口しており、前記収納チャンバの下側内壁には支持柱が二つ対称的に固定的に連結され、左側の前記支持柱の中には支持孔が貫通するように設けられ、本発明は構造が簡単で、操作が便利であり、快速に便座を上げることができるだけではなく、便座に直接に接触することをさけ、また同期ベルトの長さを調節することによって異なる高さの便座に対応できる。【選択図】図１
2020175155.tif 000002
【特許請求の範囲】
【請求項１】
正面視で、スタンドを含み、前記スタンドが地面に固定でき、前記スタンドの上端には踏み板装置が設けられ、前記踏み板装置の左端には回転装置が連結され、前記踏み板装置の下側にはロック装置が設けられ、前記回転装置の上端には連結装置が連結され、前記踏み板装置は前記スタンドの中に設置された収納チャンバを含み、前記収納チャンバが上方に開口しており、前記収納チャンバの下側内壁には支持柱が二つ対称的に固定的に連結され、左側の前記支持柱の中には支持孔が貫通するように設けられ、前記支持孔の中には長回転軸が回転できるように設けられ、前記長回転軸の左端が前記回転装置に連結され、前記長回転軸の右端が右側の前記支持柱に回転できるように連結され、二つの前記支持柱の間には踏み板が揺動することができるように設けられ、前記踏み板が前記長回転軸に固定的に連結され、前記踏み板の左右両端と前記支持柱との間には緩衝トーションバネが固定的に連結され、前記踏み板の中には下方に開口したガイドチャンバが設けられ、前記ガイドチャンバの前後両側内壁の間にはガイドロッドが固定的に連結され、前記ガイドチャンバの中にはガイドブロックがスライドできるように設けられ、前記ガイドブロックの中にはガイド孔が前後に貫通するように設けられ、前記ガイドロッドが前記ガイド孔を貫通しており、前記収納チャンバの左右両側内壁の間には揺動ロッド軸が回転できるように連結され、前記揺動ロッド軸には揺動ロッドが固定的に連結され、前記揺動ロッドの左右両端と前記収納チャンバの左右両側内壁との間には復帰トーションバネが固定的に連結され、前記揺動ロッドの中には上方に開口し、且つ前後に貫通している連結チャンバが設けられ、前記連結チャンバの左右両側内壁の間には連結ロッドが固定的に連結され、前記ガイドブロックの中には連結溝が左右に貫通するように設けられ、前記連結ロッドが前記連結溝を貫通していることを特徴とする足踏み式便座取っ手。
【請求項２】
前記ロック装置は前記収納チャンバの左側内壁に固定的に連結された二つの固定ロッドを含み、前記固定ロッドの間には中心軸が固定的に連結され、前記中心軸にはＬ型ブロックが回転できるように連結され、前記Ｌ型ブロックの中には中心軸孔が前後に貫通するように設けられ、前記中心軸が前記中心軸孔を貫通しており、前記Ｌ型ブロックの中には下方に且つ前記中心軸孔と後合わせに開口したロックブロックチャンバが設けられ、前記ロックブロックチャンバの前後両側内壁の間にはロック軸が固定的に連結され、前記ロック軸にはロックブロックが回転できるように連結され、前記ロックブロックの中にはロック軸孔が前後に貫通するように設けられ、前記ロック軸が前記ロック軸孔を貫通しており、前記ロックブロックと前記ロックブロックチャンバの前後両側内壁との間にはロックトーションバネが固定的に連結され、前記Ｌ型ブロックの中には復帰ロッド孔が貫通するように設けられ、前記復帰ロッド孔が前記中心軸孔の下側に位置しており、前記復帰ロッド孔の中には復帰ロッドがスライドできるように設けられ、前記復帰ロッドには二つの位置制限ブロックが固定的に連結され、二つの前記位置制限ブロックがそれぞれ前記Ｌ型ブロックの左右両側に位置しており、前記収納チャンバのうち前記Ｌ型ブロックに近接する側の内壁には左方に開口した復帰ロッドチャンバが連通するように設けられ、前記復帰ロッドが前記復帰ロッドチャンバを貫通して外界に連通しており、前記復帰ロッドチャンバの上側内壁の中には復帰ブロックチャンバが連通するように設けられ、前記復帰ブロックチャンバの中には復帰スライドブロックがスライドできるように設けられ、前記復帰スライドブロックの下端が前記復帰ロッドに固定的に連結され、前記復帰スライドブロックと前記復帰ブロックチャンバの左側内壁との間には復帰バネが固定的に連結されていることを特徴とする請求項１に記載の足踏み式便座取っ手。
【請求項３】
前記回転装置は前記スタンドの上端に固定的に連結された取り付けブロックを含み、前記取り付けブロックの中には歯車チャンバが設けられ、前記歯車チャンバの中には大歯車が回転できるように設けられ、前記長回転軸が前記歯車チャンバの中に伸びており、且つ前記大歯車に固定的に連結され、前記大歯車の後端には小歯車が噛合するように連結され、前記小歯車の中には短回転軸が固定的に連結され、前記短回転軸の左端には下プーリーが固定的に連結され、前記下プーリーには同期ベルトが摩擦できるように連結され、前記歯車チャンバの上側内壁の中には上方に開口した連通溝が連通するように設けられ、前記同期ベルトが前記連通溝を貫通しており、且つ前記連結装置に連結されていることを特徴とする請求項１に記載の足踏み式便座取っ手。
【請求項４】
前記連結装置は前記同期ベルトに摩擦できるように連結された上プーリーを含み、前記上プーリーの中には連結ブロックが固定的に連結され、前記連結ブロックの中には左方に開口した連結口が設けられ、前記連結口により便座に連結することができ、前記連結ブロックの右端にはロックナットがスライドできるように設けられ、前記ロックナットの中にはネジ山孔が左右に貫通するように設けられ、前記連結ブロックが前記ネジ山孔を貫通しており、且つ前記ネジ山孔とネジ山によって連結されていることを特徴とする請求項３に記載の足踏み式便座取っ手。
【発明の詳細な説明】
【技術分野】
【０００１】
本発明は生活用品分野を取り上げて、具体的には足踏み式便座取っ手である。
【背景技術】
【０００２】
便器を使用する時便座を上げる必要があり、綺麗好きな人は便座取っ手を使用し、普通の便座取っ手は直接に便座に接触するため、常に洗浄する必要があり、また普通の便座取っ手は小さくて失いやすく、従って、固定的で便利である足踏み式便座取っ手を設計する必要があり、本発明装置は便座に直接に接触する必要なく便座を速く上げることができる。
【先行技術文献】
【特許文献】
【０００３】
【特許文献１】中国特許出願公開第１０４６３１５８７号明細書
【発明の概要】
【発明が解決しようとする課題】
【０００４】
本発明の目的は足踏み式便座取っ手を提供し、それは上記の現在の技術中の問題を解決できる。
【課題を解決するための手段】
【０００５】
本発明は以下の技術プランを通じて実現する：本発明の足踏み式便座取っ手は、スタンドを含み、前記スタンドが地面に固定でき、前記スタンドの上端には踏み板装置が設けられ、前記踏み板装置の左端には回転装置が連結され、前記踏み板装置の下側にはロック装置が設けられ、前記回転装置の上端には連結装置が連結され、前記踏み板装置は前記スタンドの中に設置された収納チャンバを含み、前記収納チャンバが上方に開口しており、前記収納チャンバの下側内壁には支持柱が二つ対称的に固定的に連結され、左側の前記支持柱の中には支持孔が貫通するように設けられ、前記支持孔の中には長回転軸が回転できるように設けられ、前記長回転軸の左端が前記回転装置に連結され、前記長回転軸の右端が右側の前記支持柱に回転できるように連結され、二つの前記支持柱の間には踏み板が揺動することができるように設けられ、前記踏み板が前記長回転軸に固定的に連結され、前記踏み板の左右両端と前記支持柱との間には緩衝トーションバネが固定的に連結され、前記踏み板の中には下方に開口したガイドチャンバが設けられ、前記ガイドチャンバの前後両側内壁の間にはガイドロッドが固定的に連結され、前記ガイドチャンバの中にはガイドブロックがスライドできるように設けられ、前記ガイドブロックの中にはガイド孔が前後に貫通するように設けられ、前記ガイドロッドが前記ガイド孔を貫通しており、前記収納チャンバの左右両側内壁の間には揺動ロッド軸が回転できるように連結され、前記揺動ロッド軸には揺動ロッドが固定的に連結され、前記揺動ロッドの左右両端と前記収納チャンバの左右両側内壁との間には復帰トーションバネが固定的に連結され、前記揺動ロッドの中には上方に開口し、且つ前後に貫通している連結チャンバが設けられ、前記連結チャンバの左右両側内壁の間には連結ロッドが固定的に連結され、前記ガイドブロックの中には連結溝が左右に貫通するように設けられ、前記連結ロッドが前記連結溝を貫通している。
【０００６】
更の技術プラン、前記ロック装置は前記収納チャンバの左側内壁に固定的に連結された二つの固定ロッドを含み、前記固定ロッドの間には中心軸が固定的に連結され、前記中心軸にはＬ型ブロックが回転できるように連結され、前記Ｌ型ブロックの中には中心軸孔が前後に貫通するように設けられ、前記中心軸が前記中心軸孔を貫通しており、前記Ｌ型ブロックの中には下方に且つ前記中心軸孔と後合わせに開口したロックブロックチャンバが設けられ、前記ロックブロックチャンバの前後両側内壁の間にはロック軸が固定的に連結され、前記ロック軸にはロックブロックが回転できるように連結され、前記ロックブロックの中にはロック軸孔が前後に貫通するように設けられ、前記ロック軸が前記ロック軸孔を貫通しており、前記ロックブロックと前記ロックブロックチャンバの前後両側内壁との間にはロックトーションバネが固定的に連結され、前記Ｌ型ブロックの中には復帰ロッド孔が貫通するように設けられ、前記復帰ロッド孔が前記中心軸孔の下側に位置しており、前記復帰ロッド孔の中には復帰ロッドがスライドできるように設けられ、前記復帰ロッドには二つの位置制限ブロックが固定的に連結され、二つの前記位置制限ブロックがそれぞれ前記Ｌ型ブロックの左右両側に位置しており、前記収納チャンバのうち前記Ｌ型ブロックに近接する側の内壁には左方に開口した復帰ロッドチャンバが連通するように設けられ、前記復帰ロッドが前記復帰ロッドチャンバを貫通して外界に連通しており、前記復帰ロッドチャンバの上側内壁の中には復帰ブロックチャンバが連通するように設けられ、前記復帰ブロックチャンバの中には復帰スライドブロックがスライドできるように設けられ、前記復帰スライドブロックの下端が前記復帰ロッドに固定的に連結され、前記復帰スライドブロックと前記復帰ブロックチャンバの左側内壁との間には復帰バネが固定的に連結されている。
【０００７】
更の技術プラン、前記回転装置は前記スタンドの上端に固定的に連結された取り付けブロックを含み、前記取り付けブロックの中には歯車チャンバが設けられ、前記歯車チャンバの中には大歯車が回転できるように設けられ、前記長回転軸が前記歯車チャンバの中に伸びており、且つ前記大歯車に固定的に連結され、前記大歯車の後端には小歯車が噛合するように連結され、前記小歯車の中には短回転軸が固定的に連結され、前記短回転軸の左端には下プーリーが固定的に連結され、前記下プーリーには同期ベルトが摩擦できるように連結され、前記歯車チャンバの上側内壁の中には上方に開口した連通溝が連通するように設けられ、前記同期ベルトが前記連通溝を貫通しており、且つ前記連結装置に連結されている。
【０００８】
更の技術プラン、前記連結装置は前記同期ベルトに摩擦できるように連結された上プーリーを含み、前記上プーリーの中には連結ブロックが固定的に連結され、前記連結ブロックの中には左方に開口した連結口が設けられ、前記連結口により便座に連結することができ、前記連結ブロックの右端にはロックナットがスライドできるように設けられ、前記ロックナットの中にはネジ山孔が左右に貫通するように設けられ、前記連結ブロックが前記ネジ山孔を貫通しており、且つ前記ネジ山孔とネジ山によって連結されている。
【発明の効果】
【０００９】
本発明は構造が簡単で、操作が便利であり、便座を上げる時、装置を便座に連結し、踏み板を踏んだ後に快速に便座を上げ、同時に踏み板をロックして便座が自動的閉まることを防止し、使用後に復帰ロッドを蹴り、ロック装置のロックを解除し、その時便座を改めて閉め、本装置は快速に便座を上げることができるだけではなく、便座に直接に接触することをさけ、また同期ベルトの長さを調節することによって異なる高さの便座に対応できる。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の足踏み式便座取っ手の内部構成略図
【図２】図２は図１のＡ―Ａの構成略図
【図３】図３は図１のＢ―Ｂの構成略図
【図４】図４は図３のＣ―Ｃの構成略図
【図５】図５は図３のＤの拡大略図
【図６】図６は図５のＥ―Ｅの構成略図
【図７】図７は図６のＦ―Ｆの構成略図
【発明を実施するための形態】
【００１２】
図１〜７を参照し、本発明の足踏み式便座取っ手は、スタンド１１を含み、前記スタンド１１が地面に固定でき、前記スタンド１１の上端には踏み板装置１００が設けられ、前記踏み板装置１００の左端には回転装置１０２が連結され、前記踏み板装置１００の下側にはロック装置１０１が設けられ、前記回転装置１０２の上端には連結装置１０３が連結され、前記踏み板装置１００は前記スタンド１１の中に設置された収納チャンバ３０を含み、前記収納チャンバ３０が上方に開口しており、前記収納チャンバ３０の下側内壁には支持柱２５が二つ対称的に固定的に連結され、左側の前記支持柱２５の中には支持孔２７が貫通するように設けられ、前記支持孔２７の中には長回転軸２４が回転できるように設けられ、前記長回転軸２４の左端が前記回転装置１０２に連結され、前記長回転軸２４の右端が右側の前記支持柱２５に回転できるように連結され、二つの前記支持柱２５の間には踏み板２６が揺動することができるように設けられ、前記踏み板２６が前記長回転軸２４に固定的に連結され、前記踏み板２６の左右両端と前記支持柱２５との間には緩衝トーションバネ２８が固定的に連結され、前記踏み板２６の中には下方に開口したガイドチャンバ３８が設けられ、前記ガイドチャンバ３８の前後両側内壁の間にはガイドロッド３９が固定的に連結され、前記ガイドチャンバ３８の中にはガイドブロック３５がスライドできるように設けられ、前記ガイドブロック３５の中にはガイド孔３７が前後に貫通するように設けられ、前記ガイドロッド３９が前記ガイド孔３７を貫通しており、前記収納チャンバ３０の左右両側内壁の間には揺動ロッド軸３１が回転できるように連結され、前記揺動ロッド軸３１には揺動ロッド３２が固定的に連結され、前記揺動ロッド３２の左右両端と前記収納チャンバ３０の左右両側内壁との間には復帰トーションバネ４０が固定的に連結され、前記揺動ロッド３２の中には上方に開口し、且つ前後に貫通している連結チャンバ３３が設けられ、前記連結チャンバ３３の左右両側内壁の間には連結ロッド３４が固定的に連結され、前記ガイドブロック３５の中には連結溝３６が左右に貫通するように設けられ、前記連結ロッド３４が前記連結溝３６を貫通している。
【００１３】
有益的には、前記ロック装置１０１は前記収納チャンバ３０の左側内壁に固定的に連結された二つの固定ロッド４９を含み、前記固定ロッド４９の間には中心軸４８が固定的に連結され、前記中心軸４８にはＬ型ブロック４１が回転できるように連結され、前記Ｌ型ブロック４１の中には中心軸孔４７が前後に貫通するように設けられ、前記中心軸４８が前記中心軸孔４７を貫通しており、前記Ｌ型ブロック４１の中には下方に且つ前記中心軸孔４７と後合わせに開口したロックブロックチャンバ４２が設けられ、前記ロックブロックチャンバ４２の前後両側内壁の間にはロック軸４３が固定的に連結され、前記ロック軸４３にはロックブロック４４が回転できるように連結され、前記ロックブロック４４の中にはロック軸孔４５が前後に貫通するように設けられ、前記ロック軸４３が前記ロック軸孔４５を貫通しており、前記ロックブロック４４と前記ロックブロックチャンバ４２の前後両側内壁との間にはロックトーションバネ５８が固定的に連結され、前記Ｌ型ブロック４１の中には復帰ロッド孔５０が貫通するように設けられ、前記復帰ロッド孔５０が前記中心軸孔４７の下側に位置しており、前記復帰ロッド孔５０の中には復帰ロッド５３がスライドできるように設けられ、前記復帰ロッド５３には二つの位置制限ブロック５１が固定的に連結され、二つの前記位置制限ブロック５１がそれぞれ前記Ｌ型ブロック４１の左右両側に位置しており、前記収納チャンバ３０のうち前記Ｌ型ブロック４１に近接する側の内壁には左方に開口した復帰ロッドチャンバ５４が連通するように設けられ、前記復帰ロッド５３が前記復帰ロッドチャンバ５４を貫通して外界に連通しており、前記復帰ロッドチャンバ５４の上側内壁の中には復帰ブロックチャンバ５５が連通するように設けられ、前記復帰ブロックチャンバ５５の中には復帰スライドブロック５６がスライドできるように設けられ、前記復帰スライドブロック５６の下端が前記復帰ロッド５３に固定的に連結され、前記復帰スライドブロック５６と前記復帰ブロックチャンバ５５の左側内壁との間には復帰バネ５７が固定的に連結されている。
【００１４】
有益的には、前記回転装置１０２は前記スタンド１１の上端に固定的に連結された取り付けブロック１２を含み、前記取り付けブロック１２の中には歯車チャンバ１３が設けられ、前記歯車チャンバ１３の中には大歯車２９が回転できるように設けられ、前記長回転軸２４が前記歯車チャンバ１３の中に伸びており、且つ前記大歯車２９に固定的に連結され、前記大歯車２９の後端には小歯車１４が噛合するように連結され、前記小歯車１４の中には短回転軸１５が固定的に連結され、前記短回転軸１５の左端には下プーリー１６が固定的に連結され、前記下プーリー１６には同期ベルト１８が摩擦できるように連結され、前記歯車チャンバ１３の上側内壁の中には上方に開口した連通溝１７が連通するように設けられ、前記同期ベルト１８が前記連通溝１７を貫通しており、且つ前記連結装置１０３に連結されている。
【００１５】
有益的には、前記連結装置１０３は前記同期ベルト１８に摩擦できるように連結された上プーリー１９を含み、前記上プーリー１９の中には連結ブロック２０が固定的に連結され、前記連結ブロック２０の中には左方に開口した連結口２１が設けられ、前記連結口２１により便座に連結することができ、前記連結ブロック２０の右端にはロックナット２２がスライドできるように設けられ、前記ロックナット２２の中にはネジ山孔２３が左右に貫通するように設けられ、前記連結ブロック２０が前記ネジ山孔２３を貫通しており、且つ前記ネジ山孔２３とネジ山によって連結されている。
【００１６】
使用する時、連結口２１により便座に連結し、ロックナット２２を回して連結ブロック２０を固定し、その時踏み板２６を踏み、連結ロッド３４と連結溝３６との間のスライドにより揺動ロッド３２が引っ掛かって固定されることを避けることができ、ガイドブロック３５が下へスライドして揺動ロッド３２を押して揺れ動かせ、同時に踏み板２６が長回転軸２４を回転連動させ、これにより歯車を伝動連動させ、さらに短回転軸１５によりベルトを伝動連動させ、これにより連結ブロック２０を回転連動させて便座を上げ、揺動ロッド３２が収納チャンバ３０の中に揺動した時、揺動ロッド３２がロックブロック４４を押し動かし、ロックブロック４４がロック軸４３を中心に回転し、揺動ロッド３２がロックブロック４４の下側に位置する時、ロックブロック４４がロックバネ５８の弾力により復帰して揺動ロッド３２の上昇を防げ、その時便座が完全に上げられ、便座を閉める時、復帰ロッド５３を蹴り、そして位置制限ブロック５１によりＬ型ブロック４１を中心軸４８を中心に回転連動させ、さらに揺動ロッド３２が復帰バネ４０の弾力により上へ揺動、同時に踏み板２６が緩衝トーションバネ２８の弾力により上へ揺動、これにより便座を閉め、足を放した後に復帰バネ５７の弾力により復帰ロッド５３をスライド連動させ、そして位置制限ブロック５１によりＬ型ブロック４１を連動させ、Ｌ型ブロック４１が揺れ動いて復帰する。
【００１７】
有益効果は：本発明は構造が簡単で、操作が便利であり、便座を上げる時、装置を便座に連結し、踏み板を踏んだ後に快速に便座を上げ、同時に踏み板をロックして便座が自動的閉まることを防止し、使用後に復帰ロッドを蹴り、ロック装置のロックを解除し、その時便座を改めて閉め、本装置は快速に便座を上げることができるだけではなく、便座に直接に接触することをさけ、また同期ベルトの長さを調節することによって異なる高さの便座に対応できる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175155.tif 000003
【図２】
2020175155.tif 000004
【図３】
2020175155.tif 000005
【図４】
2020175155.tif 000006
【図５】
2020175155.tif 000007
【図６】
2020175155.tif 000008
【図７】
2020175155.tif 000009
【手続補正書】
【提出日】令和1年11月4日(2019.11.4)
【手続補正１】
【補正対象書類名】特許請求の範囲
【補正対象項目名】全文
【補正方法】変更
【補正の内容】
【特許請求の範囲】
【請求項１】
正面視で、スタンドを含み、前記スタンドが地面に固定でき、前記スタンドの上端には踏み板装置が設けられ、前記踏み板装置の左端には回転装置が連結され、前記踏み板装置の下側にはロック装置が設けられ、前記回転装置の上端には便座と連結される連結装置が連結され、前記踏み板装置は前記スタンドの中に設置された収納チャンバを含み、前記収納チャンバが上方に開口しており、前記収納チャンバの下側内壁には支持柱が二つ対称的に固定的に連結され、左側の前記支持柱の中には支持孔が貫通するように設けられ、前記支持孔の中には長回転軸が回転できるように設けられ、前記長回転軸の左端が前記回転装置に連結され、前記長回転軸の右端が右側の前記支持柱に回転できるように連結され、二つの前記支持柱の間には踏み板が揺動することができるように設けられ、前記踏み板が前記長回転軸に固定的に連結され、前記踏み板の左右両端と前記支持柱との間には緩衝トーションバネが固定的に連結され、前記踏み板の中には下方に開口したガイドチャンバが設けられ、前記ガイドチャンバの前後両側内壁の間にはガイドロッドが固定的に連結され、前記ガイドチャンバの中にはガイドブロックがスライドできるように設けられ、前記ガイドブロックの中にはガイド孔が前後に貫通するように設けられ、前記ガイドロッドが前記ガイド孔を貫通しており、前記収納チャンバの左右両側内壁の間には揺動ロッド軸が回転できるように連結され、前記揺動ロッド軸には揺動ロッドが固定的に連結され、前記揺動ロッドの左右両端と前記収納チャンバの左右両側内壁との間には復帰トーションバネが固定的に連結され、前記揺動ロッドの中には上方に開口し、且つ前後に貫通している連結チャンバが設けられ、前記連結チャンバの左右両側内壁の間には連結ロッドが固定的に連結され、前記ガイドブロックの中には連結溝が左右に貫通するように設けられ、前記連結ロッドが前記連結溝を貫通していることを特徴とする足踏み式便座取っ手。
【請求項２】
前記ロック装置は前記収納チャンバの左側内壁に固定的に連結された二つの固定ロッドを含み、前記固定ロッドの間には中心軸が固定的に連結され、前記中心軸にはＬ型ブロックが回転できるように連結され、前記Ｌ型ブロックの中には中心軸孔が前後に貫通するように設けられ、前記中心軸が前記中心軸孔を貫通しており、前記Ｌ型ブロックの中にはロックブロックチャンバが設けられ、前記ロックブロックチャンバの前後両側内壁の間にはロック軸が固定的に連結され、前記ロック軸にはロックブロックが回転できるように連結され、前記ロックブロックの中にはロック軸孔が前後に貫通するように設けられ、前記ロック軸が前記ロック軸孔を貫通しており、前記ロックブロックと前記ロックブロックチャンバの前後両側内壁との間にはロックトーションバネが固定的に連結され、前記Ｌ型ブロックの中には復帰ロッド孔が貫通するように設けられ、前記復帰ロッド孔が前記中心軸孔の下側に位置しており、前記復帰ロッド孔の中には復帰ロッドがスライドできるように設けられ、前記復帰ロッドには二つの位置制限ブロックが固定的に連結され、二つの前記位置制限ブロックがそれぞれ前記Ｌ型ブロックの左右両側に位置しており、前記収納チャンバのうち前記Ｌ型ブロックに近接する側の内壁には左方に開口した復帰ロッドチャンバが連通するように設けられ、前記復帰ロッドが前記復帰ロッドチャンバを貫通して外界に連通しており、前記復帰ロッドチャンバの上側内壁の中には復帰ブロックチャンバが連通するように設けられ、前記復帰ブロックチャンバの中には復帰スライドブロックがスライドできるように設けられ、前記復帰スライドブロックの下端が前記復帰ロッドに固定的に連結され、前記復帰スライドブロックと前記復帰ブロックチャンバの左側内壁との間には復帰バネが固定的に連結されていることを特徴とする請求項１に記載の足踏み式便座取っ手。
【請求項３】
前記回転装置は前記スタンドの上端に固定的に連結された取り付けブロックを含み、前記取り付けブロックの中には歯車チャンバが設けられ、前記歯車チャンバの中には大歯車が回転できるように設けられ、前記長回転軸が前記歯車チャンバの中に伸びており、且つ前記大歯車に固定的に連結され、前記大歯車の後端には小歯車が噛合するように連結され、前記小歯車の中には短回転軸が固定的に連結され、前記短回転軸の左端には下プーリーが固定的に連結され、前記下プーリーには同期ベルトが摩擦できるように連結され、前記歯車チャンバの上側内壁の中には上方に開口した連通溝が連通するように設けられ、前記同期ベルトが前記連通溝を貫通しており、且つ前記連結装置に連結されていることを特徴とする請求項１に記載の足踏み式便座取っ手。
【請求項４】
前記連結装置は前記同期ベルトに摩擦できるように連結された上プーリーを含み、前記上プーリーの中には連結ブロックが固定的に連結され、前記連結ブロックの中には左方に開口した連結口が設けられ、前記連結口により便座に連結することができ、前記連結ブロックの右端にはロックナットがスライドできるように設けられ、前記ロックナットの中にはネジ山孔が左右に貫通するように設けられ、前記連結ブロックが前記ネジ山孔を貫通しており、且つ前記ネジ山孔とネジ山によって連結されていることを特徴とする請求項３に記載の足踏み式便座取っ手。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には足踏み式便座取っ手である。
【背景技術】
【０００２】
便器を使用する時便座を上げる必要があり、綺麗好きな人は便座取っ手を使用し、普通の便座取っ手は直接に便座に接触するため、常に洗浄する必要があり、また普通の便座取っ手は小さくて失いやすく、従って、固定的で便利である足踏み式便座取っ手を設計する必要があり、本発明装置は便座に直接に接触する必要なく便座を速く上げることができる。
【先行技術文献】
【特許文献】
【０００３】
【特許文献１】中国特許出願公開第１０４６３１５８７号明細書
【発明の概要】
【発明が解決しようとする課題】
【０００４】
本発明の目的は足踏み式便座取っ手を提供し、それは上記の現在の技術中の問題を解決できる。
【課題を解決するための手段】
【０００５】
本発明は以下の技術プランを通じて実現する：本発明の足踏み式便座取っ手は、スタンドを含み、前記スタンドが地面に固定でき、前記スタンドの上端には踏み板装置が設けられ、前記踏み板装置の左端には回転装置が連結され、前記踏み板装置の下側にはロック装置が設けられ、前記回転装置の上端には便座と連結される連結装置が連結され、前記踏み板装置は前記スタンドの中に設置された収納チャンバを含み、前記収納チャンバが上方に開口しており、前記収納チャンバの下側内壁には支持柱が二つ対称的に固定的に連結され、左側の前記支持柱の中には支持孔が貫通するように設けられ、前記支持孔の中には長回転軸が回転できるように設けられ、前記長回転軸の左端が前記回転装置に連結され、前記長回転軸の右端が右側の前記支持柱に回転できるように連結され、二つの前記支持柱の間には踏み板が揺動することができるように設けられ、前記踏み板が前記長回転軸に固定的に連結され、前記踏み板の左右両端と前記支持柱との間には緩衝トーションバネが固定的に連結され、前記踏み板の中には下方に開口したガイドチャンバが設けられ、前記ガイドチャンバの前後両側内壁の間にはガイドロッドが固定的に連結され、前記ガイドチャンバの中にはガイドブロックがスライドできるように設けられ、前記ガイドブロックの中にはガイド孔が前後に貫通するように設けられ、前記ガイドロッドが前記ガイド孔を貫通しており、前記収納チャンバの左右両側内壁の間には揺動ロッド軸が回転できるように連結され、前記揺動ロッド軸には揺動ロッドが固定的に連結され、前記揺動ロッドの左右両端と前記収納チャンバの左右両側内壁との間には復帰トーションバネが固定的に連結され、前記揺動ロッドの中には上方に開口し、且つ前後に貫通している連結チャンバが設けられ、前記連結チャンバの左右両側内壁の間には連結ロッドが固定的に連結され、前記ガイドブロックの中には連結溝が左右に貫通するように設けられ、前記連結ロッドが前記連結溝を貫通している。
【０００６】
更の技術プラン、前記ロック装置は前記収納チャンバの左側内壁に固定的に連結された二つの固定ロッドを含み、前記固定ロッドの間には中心軸が固定的に連結され、前記中心軸にはＬ型ブロックが回転できるように連結され、前記Ｌ型ブロックの中には中心軸孔が前後に貫通するように設けられ、前記中心軸が前記中心軸孔を貫通しており、前記Ｌ型ブロックの中にはロックブロックチャンバが設けられ、前記ロックブロックチャンバの前後両側内壁の間にはロック軸が固定的に連結され、前記ロック軸にはロックブロックが回転できるように連結され、前記ロックブロックの中にはロック軸孔が前後に貫通するように設けられ、前記ロック軸が前記ロック軸孔を貫通しており、前記ロックブロックと前記ロックブロックチャンバの前後両側内壁との間にはロックトーションバネが固定的に連結され、前記Ｌ型ブロックの中には復帰ロッド孔が貫通するように設けられ、前記復帰ロッド孔が前記中心軸孔の下側に位置しており、前記復帰ロッド孔の中には復帰ロッドがスライドできるように設けられ、前記復帰ロッドには二つの位置制限ブロックが固定的に連結され、二つの前記位置制限ブロックがそれぞれ前記Ｌ型ブロックの左右両側に位置しており、前記収納チャンバのうち前記Ｌ型ブロックに近接する側の内壁には左方に開口した復帰ロッドチャンバが連通するように設けられ、前記復帰ロッドが前記復帰ロッドチャンバを貫通して外界に連通しており、前記復帰ロッドチャンバの上側内壁の中には復帰ブロックチャンバが連通するように設けられ、前記復帰ブロックチャンバの中には復帰スライドブロックがスライドできるように設けられ、前記復帰スライドブロックの下端が前記復帰ロッドに固定的に連結され、前記復帰スライドブロックと前記復帰ブロックチャンバの左側内壁との間には復帰バネが固定的に連結されている。
【０００７】
更の技術プラン、前記回転装置は前記スタンドの上端に固定的に連結された取り付けブロックを含み、前記取り付けブロックの中には歯車チャンバが設けられ、前記歯車チャンバの中には大歯車が回転できるように設けられ、前記長回転軸が前記歯車チャンバの中に伸びており、且つ前記大歯車に固定的に連結され、前記大歯車の後端には小歯車が噛合するように連結され、前記小歯車の中には短回転軸が固定的に連結され、前記短回転軸の左端には下プーリーが固定的に連結され、前記下プーリーには同期ベルトが摩擦できるように連結され、前記歯車チャンバの上側内壁の中には上方に開口した連通溝が連通するように設けられ、前記同期ベルトが前記連通溝を貫通しており、且つ前記連結装置に連結されている。
【０００８】
更の技術プラン、前記連結装置は前記同期ベルトに摩擦できるように連結された上プーリーを含み、前記上プーリーの中には連結ブロックが固定的に連結され、前記連結ブロックの中には左方に開口した連結口が設けられ、前記連結口により便座に連結することができ、前記連結ブロックの右端にはロックナットがスライドできるように設けられ、前記ロックナットの中にはネジ山孔が左右に貫通するように設けられ、前記連結ブロックが前記ネジ山孔を貫通しており、且つ前記ネジ山孔とネジ山によって連結されている。
【発明の効果】
【０００９】
本発明は構造が簡単で、操作が便利であり、便座を上げる時、装置を便座に連結し、踏み板を踏んだ後に快速に便座を上げ、同時に踏み板をロックして便座が自動的閉まることを防止し、使用後に復帰ロッドを蹴り、ロック装置のロックを解除し、その時便座を改めて閉め、本装置は快速に便座を上げることができるだけではなく、便座に直接に接触することをさけ、また同期ベルトの長さを調節することによって異なる高さの便座に対応できる。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の足踏み式便座取っ手の内部構成略図
【図２】図２は図１のＡ―Ａの構成略図
【図３】図３は図１のＢ―Ｂの構成略図
【図４】図４は図３のＣ―Ｃの構成略図
【図５】図５は図３のＤの拡大略図
【図６】図６は図５のＥ―Ｅの構成略図
【図７】図７は図６のＦ―Ｆの構成略図
【発明を実施するための形態】
【００１２】
図１〜７を参照し、本発明の足踏み式便座取っ手は、スタンド１１を含み、前記スタンド１１が地面に固定でき、前記スタンド１１の上端には踏み板装置１００が設けられ、前記踏み板装置１００の左端には回転装置１０２が連結され、前記踏み板装置１００の下側にはロック装置１０１が設けられ、前記回転装置１０２の上端には便座と連結される連結装置１０３が連結され、前記踏み板装置１００は前記スタンド１１の中に設置された収納チャンバ３０を含み、前記収納チャンバ３０が上方に開口しており、前記収納チャンバ３０の下側内壁には支持柱２５が二つ対称的に固定的に連結され、左側の前記支持柱２５の中には支持孔２７が貫通するように設けられ、前記支持孔２７の中には長回転軸２４が回転できるように設けられ、前記長回転軸２４の左端が前記回転装置１０２に連結され、前記長回転軸２４の右端が右側の前記支持柱２５に回転できるように連結され、二つの前記支持柱２５の間には踏み板２６が揺動することができるように設けられ、前記踏み板２６が前記長回転軸２４に固定的に連結され、前記踏み板２６の左右両端と前記支持柱２５との間には緩衝トーションバネ２８が固定的に連結され、前記踏み板２６の中には下方に開口したガイドチャンバ３８が設けられ、前記ガイドチャンバ３８の前後両側内壁の間にはガイドロッド３９が固定的に連結され、前記ガイドチャンバ３８の中にはガイドブロック３５がスライドできるように設けられ、前記ガイドブロック３５の中にはガイド孔３７が前後に貫通するように設けられ、前記ガイドロッド３９が前記ガイド孔３７を貫通しており、前記収納チャンバ３０の左右両側内壁の間には揺動ロッド軸３１が回転できるように連結され、前記揺動ロッド軸３１には揺動ロッド３２が固定的に連結され、前記揺動ロッド３２の左右両端と前記収納チャンバ３０の左右両側内壁との間には復帰トーションバネ４０が固定的に連結され、前記揺動ロッド３２の中には上方に開口し、且つ前後に貫通している連結チャンバ３３が設けられ、前記連結チャンバ３３の左右両側内壁の間には連結ロッド３４が固定的に連結され、前記ガイドブロック３５の中には連結溝３６が左右に貫通するように設けられ、前記連結ロッド３４が前記連結溝３６を貫通している。
【００１３】
有益的には、前記ロック装置１０１は前記収納チャンバ３０の左側内壁に固定的に連結された二つの固定ロッド４９を含み、前記固定ロッド４９の間には中心軸４８が固定的に連結され、前記中心軸４８にはＬ型ブロック４１が回転できるように連結され、前記Ｌ型ブロック４１の中には中心軸孔４７が前後に貫通するように設けられ、前記中心軸４８が前記中心軸孔４７を貫通しており、前記Ｌ型ブロック４１の中にはロックブロックチャンバ４２が設けられ、前記ロックブロックチャンバ４２の前後両側内壁の間にはロック軸４３が固定的に連結され、前記ロック軸４３にはロックブロック４４が回転できるように連結され、前記ロックブロック４４の中にはロック軸孔４５が前後に貫通するように設けられ、前記ロック軸４３が前記ロック軸孔４５を貫通しており、前記ロックブロック４４と前記ロックブロックチャンバ４２の前後両側内壁との間にはロックトーションバネ５８が固定的に連結され、前記Ｌ型ブロック４１の中には復帰ロッド孔５０が貫通するように設けられ、前記復帰ロッド孔５０が前記中心軸孔４７の下側に位置しており、前記復帰ロッド孔５０の中には復帰ロッド５３がスライドできるように設けられ、前記復帰ロッド５３には二つの位置制限ブロック５１が固定的に連結され、二つの前記位置制限ブロック５１がそれぞれ前記Ｌ型ブロック４１の左右両側に位置しており、前記収納チャンバ３０のうち前記Ｌ型ブロック４１に近接する側の内壁には左方に開口した復帰ロッドチャンバ５４が連通するように設けられ、前記復帰ロッド５３が前記復帰ロッドチャンバ５４を貫通して外界に連通しており、前記復帰ロッドチャンバ５４の上側内壁の中には復帰ブロックチャンバ５５が連通するように設けられ、前記復帰ブロックチャンバ５５の中には復帰スライドブロック５６がスライドできるように設けられ、前記復帰スライドブロック５６の下端が前記復帰ロッド５３に固定的に連結され、前記復帰スライドブロック５６と前記復帰ブロックチャンバ５５の左側内壁との間には復帰バネ５７が固定的に連結されている。
【００１４】
有益的には、前記回転装置１０２は前記スタンド１１の上端に固定的に連結された取り付けブロック１２を含み、前記取り付けブロック１２の中には歯車チャンバ１３が設けられ、前記歯車チャンバ１３の中には大歯車２９が回転できるように設けられ、前記長回転軸２４が前記歯車チャンバ１３の中に伸びており、且つ前記大歯車２９に固定的に連結され、前記大歯車２９の後端には小歯車１４が噛合するように連結され、前記小歯車１４の中には短回転軸１５が固定的に連結され、前記短回転軸１５の左端には下プーリー１６が固定的に連結され、前記下プーリー１６には同期ベルト１８が摩擦できるように連結され、前記歯車チャンバ１３の上側内壁の中には上方に開口した連通溝１７が連通するように設けられ、前記同期ベルト１８が前記連通溝１７を貫通しており、且つ前記連結装置１０３に連結されている。
【００１５】
有益的には、前記連結装置１０３は前記同期ベルト１８に摩擦できるように連結された上プーリー１９を含み、前記上プーリー１９の中には連結ブロック２０が固定的に連結され、前記連結ブロック２０の中には左方に開口した連結口２１が設けられ、前記連結口２１により便座に連結することができ、前記連結ブロック２０の右端にはロックナット２２がスライドできるように設けられ、前記ロックナット２２の中にはネジ山孔２３が左右に貫通するように設けられ、前記連結ブロック２０が前記ネジ山孔２３を貫通しており、且つ前記ネジ山孔２３とネジ山によって連結されている。
【００１６】
使用する時、連結口２１により便座に連結し、ロックナット２２を回して連結ブロック２０を固定し、その時踏み板２６を踏み、連結ロッド３４と連結溝３６との間のスライドにより揺動ロッド３２が引っ掛かって固定されることを避けることができ、ガイドブロック３５が下へスライドして揺動ロッド３２を押して揺れ動かせ、同時に踏み板２６が長回転軸２４を回転連動させ、これにより歯車を伝動連動させ、さらに短回転軸１５によりベルトを伝動連動させ、これにより連結ブロック２０を回転連動させて便座を上げ、揺動ロッド３２が収納チャンバ３０の中に揺動した時、揺動ロッド３２がロックブロック４４を押し動かし、ロックブロック４４がロック軸４３を中心に回転し、揺動ロッド３２がロックブロック４４の下側に位置する時、ロックブロック４４がロックバネ５８の弾力により復帰して揺動ロッド３２の上昇を防げ、その時便座が完全に上げられ、便座を閉める時、復帰ロッド５３を蹴り、そして位置制限ブロック５１によりＬ型ブロック４１を中心軸４８を中心に回転連動させ、さらに揺動ロッド３２が復帰バネ４０の弾力により上へ揺動、同時に踏み板２６が緩衝トーションバネ２８の弾力により上へ揺動、これにより便座を閉め、足を放した後に復帰バネ５７の弾力により復帰ロッド５３をスライド連動させ、そして位置制限ブロック５１によりＬ型ブロック４１を連動させ、Ｌ型ブロック４１が揺れ動いて復帰する。
【００１７】
有益効果は：本発明は構造が簡単で、操作が便利であり、便座を上げる時、装置を便座に連結し、踏み板を踏んだ後に快速に便座を上げ、同時に踏み板をロックして便座が自動的閉まることを防止し、使用後に復帰ロッドを蹴り、ロック装置のロックを解除し、その時便座を改めて閉め、本装置は快速に便座を上げることができるだけではなく、便座に直接に接触することをさけ、また同期ベルトの長さを調節することによって異なる高さの便座に対応できる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。